(57)【要約】【課題】コンクリートの基礎を必要とせずとも、トラクタ、耕耘機等の農作業車が出入りすることのできる、農業用温室、農業用温室の敷居材、農業用温室の施工方法および農業用温室の敷居材の取付方法を提供することを目的とする。【解決手段】農業用温室１０の支柱１１の下部を金属製の基礎杭２０に連結固定させると共に、出入口１８の下部にスライドドア１９の下部レールＲを備える金属製の敷居材３０を敷設するよう構成した。【選択図】    図２
2011024533.tif 000002
【特許請求の範囲】
【請求項１】
支柱の下部を金属製の基礎杭に連結固定させると共に、
出入口の下部にスライドドアの下部レールを備える金属製の敷居材を敷設したことを特徴とする農業用温室。
【請求項２】
農業用温室の出入口の間口幅に敷設される金属製の敷居材本体と、
前記敷居材本体の上部に固定され間口幅方向に延設された、前記出入口を開閉するスライドドアの下部レールとを備え、
前記敷居材本体は、前記下部レールを進退入方向に跨越する跨越斜面を形成する共に、前記下部レールを埋設するレール溝を間口幅方向に凹設することを特徴とする農業用温室の敷居材。
【請求項３】
前記下部レールの延設部分と前記農業用温室を構成する構成部材とを連結する固定手段を設けたことを特徴とする請求項２に記載の温農業用室の敷居材。
【請求項４】
前記敷居材本体と前記農業用温室を構成する構成部材とを連結する固定手段を設けたことを特徴とする請求項２又は３に記載の農業用温室の敷居材。
【請求項５】
前記敷居本体の裏面に、前記農業用温室の出入口の間口に打ち込まれた杭の頭部を固定する固定部を設けたことを特徴とする請求項２乃至４のいずれかに記載の農業用温室の敷居材。
【請求項６】
金属製の基礎杭を所定間隔に打ち込む工程と、
支柱の下部を前記基礎杭に固定して前記支柱を立設する工程と、
出入口の間口の幅方向の適当間隔に、二以上の適当数の杭を直線上に打ち込む工程と、
前記各杭の杭頭を所定高さに位置調整する工程と、
前記各杭の上部に請求項２乃至５のいずれかに記載の農業用温室の敷居材を据え付ける工程と、
前記農業用温室の敷居材の延設された下部レール部を前記農業用温室の構成部材に固定する工程と、
を備えることを特徴とする請求項１に記載の農業用温室の施工方法。
【請求項７】
請求項２乃至５のいずれかに記載の農業用温室の敷居材を前記農業用温室の出入口に敷設する取付方法であって、
農業用温室の出入口の間口の幅方向の適当間隔に、二以上の適当数の杭を直線上に打ち込む工程と、
前記各杭の杭頭を所定高さに位置調整する工程と、
前記各杭の上部に請求項２乃至５のいずれかに記載の農業用温室の敷居材を取り付ける工程と、
前記農業用温室の敷居材の延設された下部レール部を前記農業用温室の構成部材に固定する工程と、
を備えることを特徴とする農業用温室の敷居材の取付方法。
【発明の詳細な説明】
【技術分野】
【０００１】
本発明は、コンクリートの敷設等の基礎工事が不要な農業用温室、農業用温室の敷居材、農業用温室の施工方法および農業用温室の敷居材の取付方法に関する。
【背景技術】
【０００２】
従来、この種の農業用温室としては、コンクリ−トの基礎に立設した多数の支柱とこれら支柱の上部に固定される梁材とから成る骨組に、主としてビニ−ル樹脂からなる透明フィルムを、多数のフィルム受部材を介して張設しているものがある（例えば、特許文献１（段落００１０、図３〜図５）参照）。そして、前記農業用温室の妻面に設けられた出入口は、例えば、アルミニウム等の金属製のスライドドアで構成されている（例えば、特許文献２（段落００１３、図７）参照）。
【０００３】
前記スライドドアはレール走行型のものが多く、トラクタ、耕耘機等の農作業車が出入りできるようにするため、前記レールのうち、下部レールはコンクリートの基礎に埋設されて取り付けられている。
【０００４】
一方において、最近において、いわゆるタッピングパイル（基礎杭）で基礎を形成する農業用温室が普及しており（例えば、特許文献３参照）、このタイプの農業用温室においては、支柱を固定するためのコンクリートによる基礎は不要となるため、コンクリートによる基礎は、前記出入口の敷居部だけが必要となる。
【先行技術文献】
【特許文献】
【０００５】
【特許文献１】特開平８−５１８７２号
【０００６】
【特許文献２】特開平７−１６３２４２号
【０００７】
【特許文献３】特開２００７−２０５１０８号
【発明の概要】
【発明が解決しようとする課題】
【０００８】
しかしながら、前記農業用温室において、前記出入口の敷居部にだけコンクリートを敷設するため、すなわち少量のコンクリートのためにミキサー車を手配することは不経済であるし、また、コンクリート基礎の打設工事は、型枠の設置、コンクリートの打ち込み、養生期間の経過、型枠の取り外し等、手間と時間がかかり、特に、前記出入口周りのコンクリート打ちは、建て方の最後に行うことが多いため、前記型枠の取り外しは別途施工現場に出向く必要があり、施工が煩雑である。また、前記農業用温室を撤収する際には、コンクリートの廃材が生じ、環境に負荷を与えることとなる。
【０００９】
本発明は、かかる事情に鑑みてなされたものであって、コンクリートの基礎を必要とせずとも施工ができ、環境に負荷を与えないと共に、トラクタ、耕耘機等の農作業車が出入りすることのできる、農業用温室、農業用温室の敷居材、農業用温室の施工方法および農業用温室の敷居材の取付方法を提供することを目的とする。
【課題を解決するための手段】
【００１０】
請求項１に記載の農業用温室は、支柱の下部を金属製の基礎杭に連結固定させると共に、出入口の下部にスライドドアの下部レールを備える金属製の敷居材を敷設したことを特徴とする。
【００１１】
請求項１に記載の農業用温室にあっては、コンクリートの基礎を一切必要としないため、コンクリート基礎の打設工事に必要とされる型枠の設置、コンクリートの打ち込み、養生期間の経過および型枠の取り外し等が不要であり、また、出入口周りのコンクリート打ちも不要となるため、施工期間が短期間で済み、また、撤収の際にコンクリートの廃材もでないので、環境に与える負荷が少ないと共に、トラクタ、耕耘機等の農作業車が出入りすることのできる農業用温室を提供することができる。
【００１２】
請求項２に記載の農業用温室の敷居材は、農業用温室の出入口の間口幅に敷設される金属製の敷居材本体と、前記敷居材本体の上部に固定され間口幅方向に延設された、前記出入口を開閉するスライドドアの下部レールとを備え、前記敷居材本体は、前記下部レールを進退入方向に跨越する跨越斜面を形成する共に、前記下部レールを埋設するレール溝を間口幅方向に凹設することを特徴とする。
【００１３】
請求項２に記載の農業用温室の敷居材にあっては、金属製の敷居材本体にスライドドアの下部レールを間口幅方向に埋設して固定すると共に、前記下部レールを進退入方向に跨越する跨越斜面を形成しているので、前記下部レールは上方にほとんど突出することがないため、コンクリートの基礎工事をしなくとも良く、また、いちいち、前記下部レールを取り外すことなしに、トラクタ、耕耘機等の農作業車が農業用温室内に出入りすることができ、更に、構造が簡単であり、容易に製造することができる。
【００１４】
請求項３に記載の農業用温室の敷居材は、請求項２に記載の農業用温室の敷居材において、前記下部レールの延設部分と前記農業用温室を構成する構成部材とを連結する固定手段を設けたことを特徴とする。
【００１５】
請求項３に記載の農業用温室の敷居材にあっては、請求項２に記載の農業用温室の敷居材に加えて、前記下部レールと前記農業用温室との構造部材とが連結固定されているので、前記下部レールの高さ位置を所定の位置に固定することが容易にできると共に、前記農業用温室の敷居材の取付強度が増すこととなる。
【００１６】
請求項４に記載の農業用温室の敷居材は、請求項２又は３に記載の農業用温室の敷居材において、前記敷居材本体と前記農業用温室を構成する構成部材とを連結する固定手段を設けたことを特徴とする。
【００１７】
請求項４に記載の農業用温室の敷居材にあっては、請求項２又は３に記載の農業用温室の敷居材に加えて、前記敷居材本体と前記農業用温室との構造部材とが連結固定されているので、前記下部レールの高さ位置を所定の位置に固定することが容易にできると共に、前記農業用温室の敷居材の取付強度が増すこととなる。
【００１８】
請求項５に記載の農業用温室の敷居材は、請求項２乃至４のいずれかに記載の農業用温室の敷居材において、前記敷居本体の裏面に、前記農業用温室の出入口の間口に打ち込まれた杭の頭部を支持する支持部を設けたことを特徴とする。
【００１９】
請求項５に記載の農業用温室の敷居材にあっては、前記敷居本体の裏面に打ち込まれた杭により支持されているので、トラクタ、耕耘機等の農作業車の通過に対する耐荷重の優れたものとなる。
【００２０】
請求項６に記載の農業用温室の施工方法は、請求項１に記載の農業用温室の施工方法であって、金属製の基礎杭を所定間隔に打ち込む工程と、支柱の下部を前記基礎杭に固定して前記支柱を立設する工程と、出入口の間口の幅方向の適当間隔に、二以上の適当数の杭を直線上に打ち込む工程と、前記各杭の杭頭を所定高さに位置調整する工程と、前記各杭の上部に請求項２乃至５のいずれかに記載の農業用温室の敷居材を据え付ける工程と、前記農業用温室の敷居材の延設された下部レール部を前記農業用温室の構成部材に固定する工程と、を備えることを特徴とする。
【００２１】
請求項６に記載の農業用温室の施工方法にあっては、コンクリートの基礎を一切必要としないため、コンクリート基礎の打設工事に必要とされる型枠の設置、コンクリートの打ち込み、養生期間の経過および型枠の取り外し等が不要であり、また、出入口周りのコンクリート打ちも不要となるため、施工期間が短期間で済み、また、撤収の際にコンクリートの廃材もでない環境に与える負荷の少ないと共に、トラクタ、耕耘機等の農作業車が出入りすることのできる農業用温室を提供することができる。
【００２２】
請求項７に記載の農業用温室の敷居材の取付方法は、請求項２乃至５のいずれかに記載の農業用温室の敷居材を前記農業用温室の出入口に敷設する取付方法であって、農業用温室の出入口の間口の幅方向の適当間隔に、二以上の適当数の杭を直線上に打ち込む工程と、前記各杭の杭頭を所定高さに位置調整する工程と、前記各杭の上部に請求項２乃至５のいずれかに記載の農業用温室の敷居材を取り付ける工程と、前記農業用温室の敷居材の延設された下部レール部を前記農業用温室の構成部材に固定する工程と、備えることを特徴とする。
【００２３】
請求項７に記載の農業用温室の敷居材の取付方法にあっては、請求項１乃至４のいずれかに記載の農業用温室の敷居材を、コンクリートの基礎を必要とせずに、容易に前記農業用温室の出入口に敷設することができる。
【発明の効果】
【００２４】
請求項１に記載の農業用温室によれば、支柱の下部を金属製の基礎杭に連結固定させると共に、出入口の下部にスライドドアの下部レールを備える金属製の敷居材を敷設しているので、コンクリートの基礎を一切必要とせず、コンクリート基礎の打設工事に必要とされる型枠の設置、コンクリートの打ち込み、養生期間の経過および型枠の取り外し等が不要であり、また、出入口周りのコンクリート打ちも不要となるため、施工期間が短期間で済み、また、撤収の際にコンクリートの廃材もでないので環境に与える負荷が少ないと共に、トラクタ、耕耘機等の農作業車が出入りすることのできる農業用温室を提供することができる。
【００２５】
請求項２に記載の農業用温室の敷居材によれば、金属製の敷居材本体にスライドドアの下部レールを間口幅方向に埋設して固定すると共に、前記下部レールを進退入方向に跨越する跨越斜面を形成しているので、前記下部レールは上方にほとんど突出することがないため、コンクリートの基礎工事をしなくとも、また、いちいち、前記下部レールを取り外すことなしに、トラクタ、耕耘機等の農作業車が農業用温室内に出入りすることができると共に、構造が簡単であり、容易に製造することができる。
【００２６】
請求項３に記載の農業用温室の敷居材によれば、請求項２に記載の農業用温室の敷居材に加えて、前記下部レールと前記農業用温室との構造部材とが連結固定されているので、前記下部レールの高さ位置を所定の位置に固定することが容易にできると共に、前記農業用温室の敷居材の取付強度が増すこととなる。
【００２７】
請求項４に記載の農業用温室の敷居材によれば、請求項２又は３に記載の農業用温室の敷居材に加えて、前記敷居材本体と前記温農業用室との構造部材とが連結固定されているので、前記下部レールの高さ位置を所定の位置に固定することが容易にできると共に、前記農業用温室の敷居材の取付強度が増すこととなる。
【００２８】
請求項５に記載の農業用温室の敷居材によれば、前記農業用温室の敷居材は、前記敷居本体の裏面に打ち込まれた杭に支持されているので、トラクタ、耕耘機等の農作業車の通過に対する耐荷重の優れたものとなる。
【００２９】
請求項６に記載の農業用温室の施工方法によれば、コンクリートの基礎を一切必要としないため、コンクリート基礎の打設工事に必要とされる型枠の設置、コンクリートの打ち込み、養生期間の経過および型枠の取り外し等が不要であり、また、出入口周りのコンクリート打ちも不要となるため、施工期間が短期間で済み、また、撤収の際にコンクリートの廃材もでない環境に与える負荷が少ないと共に、トラクタ、耕耘機等の農作業車が出入りすることのできる農業用温室を提供することができる。
【００３０】
請求項７に記載の農業用温室の敷居材によれば、請求項２乃至４のいずれかに記載の農業用温室の敷居材を、コンクリートの基礎を必要とせずに、容易に前記農業用温室の出入口に敷設することができる。
【図面の簡単な説明】
【００３１】
【図１】本発明にかかる農業用温室の要部斜視図である。
【図２】同内方から出入口を見た要部斜視図である。
【図３】（ａ）は基礎杭の正面図であり、（ｂ）は側面図である。
【図４】本発明にかかる農業用温室の敷居材の斜視図である。
【図５】同裏面からの斜視図である。
【図６】同側面図である。
【図７】要部拡大斜視図である。
【図８】裏面からの要部拡大斜視図である。
【図９】要部縦断面図である。
【図１０】図３のＡ−Ａ線要部拡大縦断面図である。
【図１１】図３のＢ−Ｂ線要部拡大縦断面図である。
【図１２】支柱の横断面図である。
【図１３】基礎杭と支柱の連結固定状態を示す要部分解斜視図である。
【図１４】基礎杭の施工工程を示す要部斜視図である。
【図１５】農業用温室の敷居材の取付方法を示す概略斜視図である。
【図１６】同要部拡大斜視図である。
【図１７】農業用温室に敷居材を取り付けた状態の概略斜視図である。
【図１８】農業用温室に敷居材を取り付け、スライドドアを嵌めた状態の概略斜視図である。
【図１９】同要部縦断面図である。
【図２０】車両が農業用温室の敷居材を乗り越える状態を示す概念図である。
【発明を実施するための形態】
【００３２】
以下、本発明を実施するための形態を図面に基づいて具体的に説明する。
【００３３】
図１は本発明にかかる農業用温室の要部斜視図であり、図２は同農業用温室の内方から出入口を見た要部斜視図である。
【００３４】
図１及び図２において、１０は間口方向に連設している連棟型の農業用温室であり、１１は支柱である。前記支柱１１は、奥行方向および間口方向に複数本が夫々立設されている。
【００３５】
前記支柱１１の上部には、複数の合掌材１２を頂部において山型となるように突合状態で奥行方向に向けて並設している。前記合掌材１２の上面には、前記合掌材１２と直交するように奥行方向に向けて、長尺状のもや材１３が所定間隔を開けて複数本取り付けており、該もや材１３の上には、垂木材（図示せず）が前記合掌材１２と並行して架設されており、屋根面を支持している。また、前記合掌材１２の頂部には、奥行方向に向けて、長尺状の棟材１４を架設している。そして、前記突合状態の合掌材１２，１２間には陸梁１５を架設している。
【００３６】
前記支柱１１は角形鋼管により形成されており、後述する螺旋状のリブを有する基礎杭２０にボルトＢとナットＮによって固定されている。
【００３７】
また、前記農業用温室１０の各棟の両妻面１６は間柱１７により補強されており、一方の妻面１６には出入口１８が開口され、前記出入口１８はレール走行型の両開きのスライドドア１９によって開閉される。そして、後述するように、前記スライドドア１９の下部レールＲは金属製の敷居材本体３１に固定されている（図４乃至前記１１参照）。
【００３８】
図３は基礎杭を示す図であり、（ａ）は正面図であり、（ｂ）は側面図である。図中２０は、コンクリートの基礎に代えて前記支柱１１を支持する基礎杭であり、該基礎杭２０は、円筒形の鋼管から形成される杭本体２１の先端部に先鋭状の掘削部材２２を設けており、更に前記杭本体２１の下半身外周には螺旋状リブ２３を取り付けている。そして、前記杭本体２１の頭部には、建造物の支柱を締結固定するための基板２４が溶接固定されている。前記基板２４には、図１３に示すように、中心から放射線状に等間隔を隔てて１０個の長孔２４ａが開設されている。
【００３９】
図４乃至図１１は農業用温室の敷居材を示すものであり、図４は斜視図であり、図５は同裏面からの斜視図であり、図６は同側面図であり、図７は要部拡大斜視図であり、図８は裏面からの要部拡大斜視図であり、図９は要部縦断面図であり、図１０は図６のＡ−Ａ線要部拡大縦断面図であり、図１１は図６のＢ−Ｂ線要部拡大縦断面図である。
【００４０】
図４乃至１１において、３０は前記農業用温室１０の敷居材であり、該敷居材３０は、敷居材本体３１と、その上部に固定された下部レールＲとを備えて構成される。
【００４１】
前記敷居材本体３１は、図４乃至図１１に示すように、断面略台形状の長尺の金属製の箱状体から形成されており、その底部は開放されている。前記敷居材本体の頂部の平坦面３２には、上方に向かって開放された略コ字状のレール溝３３が長さ方向に亘って条設されている。そして、前記レール溝３３の奥行方向の両側には、下方に向かって夫々傾斜する跨越斜面３４，３４を設け、さらに、その下方に夫々連続して垂直面３５，３５を設けている。
【００４２】
前記敷居材本体３１の長さは、農業用温室１０の出入口１８の間口幅の長さに形成される共に、前記下部レール材Ｒは、前記スライドドア１９の引き代の長さ分だけ前記敷居材本体３１よりも延設されている。
【００４３】
前記レール溝３３には、金属製のアングル材から形成された下部レールＲがボルト止め等の固着手段によって接合されている。前記レール溝３３の底部にはボルト止め用の孔３３ａが穿設されている。
【００４４】
前記跨越斜面３４，３４には、図４に示すように、長さ方向に鉄筋からなる滑り止め３６，３６を夫々２条、所定間隔を開けて溶接している。また、前記敷居材本体３１の開放された裏面には、図５に示すように、奥行方向に亘って、リブ３７，３７・・が４カ所に溶接され、補強している。なお、前記リブ３７，３７・・は、前記出入口１８を通過する農作業車の車輪間隔に合致するような所定幅を開けて形成すると良い。
【００４５】
前記敷居本体３１の平坦面３２両端には、前記農業用温室１０の出入口１８の両側に立設された間柱１７に連結固定できるように、夫々略Ｌ字状の取付金具３８，３８を溶接止めしている。
【００４６】
また、前記下部レールＲの延設部分の根本には、前記農業用温室１０の出入口１８の両側に立設された間柱１７に連結固定できるように、夫々略Ｌ字状の取付金具３９，３９を溶接止めしている。
【００４７】
図１２は農業用温室の支柱の横断面図である。図中１１ａは、金属製の中空角材からなる支柱本体であり、該支柱本体１１ａの下端には角形の取付板１１ｂが溶接固定されている。該取付板１１ｂには、締結部材であるボルトＢを挿通する長孔１１ｃが２条開設されている。
【００４８】
図１３は基礎杭の基板と支柱との接合構造を示す分解斜視図である。前記基礎杭２０と前記支柱１１とは締結部材たるボルトＢとナットＮにより固定されるのであるが、締結固定する際は、前記基板２４の長孔２６ａと、前記取付板１１ａの長孔１１ｃとを重合させて、両者の重合する箇所において、前記ボルトＢを挿通してナットＮで締結している。したがって、前記支柱１０は前記基礎杭２０に対して、前記長孔２６ａおよび長孔１１ｃとが重合する範囲において、前後左右方向および周方向の角度位置の調整が可能となる。
【００４９】
以上のように構成された前記農業用温室１０を施工するには、例えば、次のような方法によると良い。
【００５０】
図１４は、基礎杭の施工工程を示す要部斜視図である。前記農業用温室１０を施工するには、先ず、前記基礎杭２０を、前記農業用温室１０の支柱１１の立設位置に合わせて、間口方向および奥行方向に所定本数打ち込む。この打ち込み作業は、小型建機（油圧ショベル）にミニアースオーガを取り付けて、その先端に取付支持具を取り付け前記基礎杭２０を固定して回転挿入することにより行う。前記基礎杭２０を所定箇所に打ち込んだ後に、図１３に示すように、前記支柱１１をボルトＢとナットＮにより前記基礎杭２０に連結固定して立設するのである。そして、その後に、他の構成部材を順次組み立てる。そして、最後に、前記敷居材３０を取り付けるのである。
【００５１】
図１５乃至図１９は敷居材の取付方法を示すものであり、図１５は前記農業用温室の敷居材３０を前記農業用温室１０に取り付ける方法を示す概略斜視図であり、図１６は同要部拡大斜視図であり、図１７は農業用温室に敷居材を取り付けた状態の概略斜視図であり、図１８は農業用温室に敷居材を取り付け、スライドドアを嵌めた状態の概略斜視図であり、図１９は同要部縦断面図である。
【００５２】
前記敷居材３０を取り付けるには、先ず、図１５に示すように、前記出入口１８の間口の直線上に、３本の金属製の杭Ｋを打ち込む。このとき、前記杭Ｋを適当深さまで打ち込んだ後に、前記下部レールＲを配置すべき所定高さＨ（図１９参照）に切断する。その後、前記敷居材３０の前記レール溝３３の底部を前記杭の頭部が支持するように、前記各杭Ｋ，Ｋ・の上に前記敷居材３０を据え付けるのである。
【００５３】
次に、図１６に示すように、前記下部レールＲの延設部分の根本に設けた取付金具３９，３９を、前記支柱１１にボルトによって締結し、前記敷居本体３１の平坦面３２両端に設けた取付金具３８，３８を、同様に前記支柱１１にボルトによって締結する。
【００５４】
このとき、前記下部レールＲは、図１７乃至図１９に示すように、前記杭Ｋ，Ｋ・および前記固定手段３９，３９によって前記スライドドア１９の下部を支承できる所定高さＨに維持される。また、前記農業用温室の敷居材３０は、前記杭Ｋ，Ｋ・および前記固定手段３８，３８によって、固定されているので、図２０に示すように、農作業用の車両で通過してもずれることはない。また、前記下部レールＲは、前記レール溝３３の底部に凹設されるように固定されているので、前記下部レールＲは上方に突出しておらず、前記のように農作業用の車両で通過しても前記下部レールＲに乗り上げることはなく、したがって、損傷することもないのである。
【００５５】
なお、前記実施の形態においては、前記スライドドア１９は両開き戸であったが、片開き戸でも良い。この場合は、前記下部レールＲは、片側に延設することとなる。
【符号の説明】
【００５６】
１０    農業用温室
１１    支柱
１１ａ  支柱本体
１１ｂ  取付板
１１ｃ（取付板の）長孔
１２    合掌材
１３    もや材
１４    棟材
１５    陸梁
１６    妻面
１７    間柱
１８    出入口
１９    スライドドア
２０    基礎杭
２１    杭本体
２２    掘削部材
２３    螺旋状リブ
２４    基板
２４ａ（基板の）長孔
３０    農業用温室の敷居材
３１    敷居材本体
３２    平坦面
３３    レール溝
３３ａ  ボルト孔
３４    跨越斜面
３５    垂直面
３６    滑り止め
３７    リブ
３８    取付金具（固着手段）
３９    取付金具（固着手段）
Ｒ      下部レール
Ｋ      杭
Ｂ      ボルト
Ｎ      ナット
【図１】
2011024533.tif 000003
【図２】
2011024533.tif 000004
【図３】
2011024533.tif 000005
【図４】
2011024533.tif 000006
【図５】
2011024533.tif 000007
【図６】
2011024533.tif 000008
【図７】
2011024533.tif 000009
【図８】
2011024533.tif 000010
【図９】
2011024533.tif 000011
【図１０】
2011024533.tif 000012
【図１１】
2011024533.tif 000013
【図１２】
2011024533.tif 000014
【図１３】
2011024533.tif 000015
【図１４】
2011024533.tif 000016
【図１５】
2011024533.tif 000017
【図１６】
2011024533.tif 000018
【図１７】
2011024533.tif 000019
【図１８】
2011024533.tif 000020
【図１９】
2011024533.tif 000021
【図２０】
2011024533.tif 000022
【手続補正書】
【提出日】平成21年10月27日(2009.10.27)
【手続補正１】
【補正対象書類名】特許請求の範囲
【補正対象項目名】請求項３
【補正方法】変更
【補正の内容】
【請求項３】
前記下部レールの延設部分と前記農業用温室を構成する構成部材とを連結する固定手段を設けたことを特徴とする請求項２に記載の農業用温室の敷居材。